(57)【特許請求の範囲】
【請求項１】
カメラに備えられるミラー保持機構であって、
メインミラーを保持するメインミラー保持部と、サブミラーを保持するとともに、前記メインミラー保持部に対して支軸を中心にして回動するようにサブミラー保持部と、
前記メインミラー保持部における、光軸を水平として画像を撮影する場合のカメラ位置において上部側に配置される受け部と、
前記サブミラー保持部と一体的に移動し、前記メインミラーが所定位置にくるとき、前記受け部と当接し、前記サブミラー保持部を定位置で停止させる当接部と、
を備えること、
を特徴とするミラー保持機構。
【請求項２】
請求項１に記載のミラー保持機構であって、
前記サブミラー保持部における、前記支軸に対して垂直方向に延びる一辺側のサブミラー側枠部は、
前記支軸側から前記サブミラーに沿って延びる第１部分と、
該支軸側から前記第１部分と異なる方向に延びる第２部分とを有し、
前記第２部分の側面が、前記当接部であること、
を特徴とするミラー保持機構。
【請求項３】
請求項２に記載のミラー保持機構であって、
前記メインミラー保持部における、前記支軸に対して垂直方向に延びる一辺側のメインミラー側枠部に対して、前記サブミラー側枠部を挟んで対向配置される側面保持部材を備え、
前記受け部は受けピンであり、前記側面保持部材における前記メインミラー側枠部側に前記受けピンが設けられ、該受けピンが前記メインミラー側枠部に設けられた穴に挿入されていること、
を特徴とするミラー保持機構。
【請求項４】
請求項３に記載のカメラであって、
前記側面保持部材における、少なくとも前記サブミラー側の部分は、反射防止用の塗装がなされていること、
を特徴とするミラー保持機構。
【請求項５】
請求項３又は４に記載のミラー保持機構であって、
前記側面保持部材の、前記メインミラー保持部が配置されている側と反対側の面から、ミラー保持機構駆動用の駆動ピンが延びていることを特徴とするミラー保持機構。
【請求項６】
請求項３から５のいずれか１項に記載のミラー保持機構であって、
前記メインミラー側枠部は前記メインミラー保持部の前記上部に突出し、前記穴は、その突出した部分に形成されていること、
を特徴とするミラー保持機構。
【請求項７】
請求項３から６のいずれか１項に記載のミラー保持機構であって、
前記受けピンは偏心ピンで、その先端には六角穴、プラスマイナスのドライバ用溝または専用の工具のみが差し込み可能な形状の穴が形成され、
前記受けピンを前記穴に挿入した状態で、前記穴より前記受けピンの中心位置を調整可能であること、
を特徴とするミラー保持機構。
【請求項８】
請求項１から７のいずれか１項に記載のミラー保持機構を備えるカメラ。
【発明の詳細な説明】
【技術分野】
【０００１】
本発明は、ミラー保持機構及びカメラに関するものである。
【背景技術】
【０００２】
従来、一眼レフカメラの機構として、メインミラーを保持したメインミラー保持枠と、サブミラーを保持するとともに、メインミラー保持枠に軸支されたサブミラー保持枠と、ミラーダウン位置においてサブミラー保持枠と当接する受けピンと、を備えるミラー保持機構が知られている。このようなミラー保持機構におけるサブミラーの角度は、サブミラーがミラーダウン位置に来たときに、サブミラー保持枠の一部を受けピンと当接させることにより決定されている（たとえば、特許文献１参照）。
【先行技術文献】
【特許文献】
【０００３】
【特許文献１】特開２００７−１１４５１２号公報
【発明の概要】
【発明が解決しようとする課題】
【０００４】
しかし上記特許文献の構成は、ミラーアップ状態においてサブミラーの受けピンがミラー保持機構内に突出し、撮像素子の中央付近に存在する。このため、撮影レンズからの迷光が受けピンの表面に反射して撮像素子に進入し、撮像された画像にゴーストが発生する可能性がある。
【０００５】
本発明の課題は、ゴーストの発生を低減可能なミラー保持機構及びカメラを提供することにある。
【課題を解決するための手段】
【０００６】
請求項１に記載のミラー保持機構は、カメラに備えられるミラー保持機構であって、メインミラーを保持するメインミラー保持部と、サブミラーを保持するとともに、前記メインミラー保持部に対して支軸を中心にして回動するようにサブミラー保持部と、前記メインミラー保持部における、光軸を水平として画像を撮影する場合のカメラ位置において上部側に配置される受け部と、前記サブミラー保持部と一体的に移動し、前記メインミラーが所定位置にくるとき、前記受け部と当接し、前記サブミラー保持部を定位置で停止させる当接部と、を備える。
請求項８に記載のカメラは、請求項１から７のいずれか１項に記載のミラー保持機構を備える。
【発明の効果】
【０００７】
本発明によれば、ゴーストの発生を低減可能なミラー保持機構及びカメラを提供することができる。
【図面の簡単な説明】
【０００８】
【図１】本実施形態のカメラの断面図である。
【図２】メインミラーがミラーダウン位置にあるときのミラー保持機構の斜視図である。
【図３】図２の状態から、側面保持部材を外した図である。
【図４】図２のミラーダウン状態を他の方向から見た斜視図である。
【図５】ミラー保持機構のミラーアップ状態の図である。
【発明を実施するための形態】
【０００９】
以下、図面を参照して、本発明の実施形態としてカメラを例に説明する。なお、以下に示す図面には、説明と理解とを容易にするために、ＸＹＺの直交座標系を設けた。この座標系では、撮影者が光軸Ａを水平として横長の画像を撮影する場合のカメラ位置（以下、正位置という）において撮影者から見て左側に向かう方向をＸプラス方向とする。また、正位置において上側に向かう方向をＹプラス方向とする。さらに、正位置において被写体に向かう方向をＺ方向とする。
【００１０】
図１は、本実施形態のミラー保持機構３０を備えるカメラ１００の断面図である。図１は、カメラ１００を光軸Ａに沿って縦に分割したときの断面図である。また、図１では、ミラー保持機構３０の構成を簡略化して描いている。このため、後述する他の図に示すミラー保持機構３０とは一部形状が異なる。
【００１１】
カメラ１００は、デジタル一眼レフカメラであり、図１に示すように、カメラボディ１０１、画像表示部１０２、マウント部１０３、ミラー保持機構３０、ファインダ部４０、ＡＦモジュール５０、シャッタ部６０、及び撮像部７０を備える。
【００１２】
カメラボディ１０１は、カメラ１００の各部を固定するメインフレームである。画像表示部１０２は、カメラ１００の後部に設けられ、撮像部７０で撮影した被写体像や、操作に関連した情報、撮影した被写体像等を表示する液晶ディスプレイである。
マウント部１０３は、不図示の撮影レンズが着脱自在に装着される部分である。撮影レンズは、入射した被写体光をミラー保持機構３０に出射するレンズ群を備える。
【００１３】
ファインダ部４０は、ファインダスクリーン４１、ペンタダハプリズム４２及び接眼部４３を備える。ファインダスクリーン４１は、ミラー保持機構３０が観察位置（ミラーダウン位置）のときに反射される被写体光を入射して結像するためのスクリーンである。ペンタダハプリズム４２は、ファインダスクリーン４１によって結像された被写体光を接眼部４３へ出射する多角形のプリズムである。接眼部４３はペンタダハプリズム４２から出射された被写体光が入射する位置に配置された接眼光学系である。
【００１４】
ＡＦモジュール５０は、ミラー保持機構３０で反射した被写体光を入射して、焦点調節のための測距情報を検出するセンサである。シャッタ部６０は、ミラー保持機構３０の後方に配置されている。シャッタ部６０は、ミラー保持機構３０が撮影位置（ミラーアップ位置）のときに被写体光が入射する。シャッタ部６０は、不図示の複数のシャッタ羽根群を備え、不図示のレリーズスイッチ等による撮影指示に応じてシャッタ羽根群を開閉させ、撮像部７０に被写体光を入射する。
【００１５】
撮像部７０は、シャッタ部６０を通過した被写体光が入射する位置に設けられている。撮像部７０は、ローパスフィルタ７１及び撮像素子７２を備えている。撮像素子７２は、ローパスフィルタ７１を介して入射した被写体光を露光し、電気的な画像信号に変換して、不図示の画像処理部へ出力する。
【００１６】
ミラー保持機構３０は、メインミラー保持枠２及びサブミラー保持枠４を備える。ミラー保持機構３０は、不図示の撮影レンズから出射される被写体光が入射する位置に設けられている。ミラー保持機構３０は、ファインダ部４０、ＡＦモジュール５０、シャッタ部６０、及び撮像部７０に被写体光を選択的に入射させる機構である。
【００１７】
メインミラー保持枠２は、メインミラー１を備える。メインミラー１は、被写体光をファインダ部４０へ反射させる反射ミラーである。メインミラー１には、被写体光の一部を透過させる半透過ミラーが設けられている。この半透過ミラーを透過した被写体光の一部は、その後部に設けられたサブミラー３に入射する。
【００１８】
図２は、本実施形態においてメインミラー１がミラーダウン位置にあるときのミラー保持機構３０をＸプラス側斜めから見た斜視図である。また、図３は図２の状態から、後述する側面保持部材２０を外した図である。図４は図２のミラーダウン状態をＸマイナス側斜めから見た斜視図である。そして、図５はミラーアップ状態の図である。
【００１９】
メインミラー保持枠２は、図２に示すように、メイン支軸８により回動自在に支持されている。メイン支軸８には、コイルバネ等の不図示のリターンバネが設けられている。メインミラー保持枠２は、このリターンバネによりメイン支軸８を中心として反時計回りに付勢されている。また、メインミラー保持枠２における、メイン支軸８に対して垂直な側面は、上面（Ｙプラス側の面）側に突出する突出部２４，２５が設けられている。
【００２０】
図２に示すミラーダウン位置では、メインミラー１を所定の角度で停止させる必要がある。このため、メインミラー保持枠２を所定の角度で停止させるストッパピン７が設けられている。ストッパピン７は、カメラボディ１０１に設けられている。図２に示すように、ストッパピン７にメインミラー保持枠２が当接することにより、ミラーダウン位置においてメインミラー保持枠２が所定の角度で停止する。
【００２１】
一方、サブミラー保持枠４は、サブミラー３を備える。サブミラー３は、メインミラー１の半透過ミラーを透過した被写体光を反射してＡＦモジュール５０へ導く反射ミラーである。サブミラー保持枠４は、メインミラー保持枠２に設けられたサブ支軸９に対して、軸止されている。
【００２２】
メインミラー保持枠２のＸプラス側には、板状の側面保持部材２０が取り付けられている。側面保持部材２０には、受けピン６とミラー駆動ピン２１がカシメ結合されている。この側面保持部材２０はメインミラー保持枠２にビス２２により固定されている。ビス２２は２箇所に設けられている。また、側面保持部材２０における、少なくともＹマイナス側の部分には、反射防止用の塗装がなされている。
【００２３】
メインミラー保持枠２のサブ支軸９には、トグルバネ２３が設けられている。このトグルバネ２３は、サブミラー保持枠４を、サブ支軸９を中心として図中反時計回りに負勢している。すなわち、サブミラー保持枠４は、ミラーアップ時において、メインミラー保持枠２に対する角度が所定の角度未満になると時計回りに付勢される。これにより、サブミラー保持枠４はメインミラー保持枠２とともに退避位置まで跳ね上がる。また、サブミラー保持枠４は、ミラーダウン時に、メインミラー保持枠２に対する角度が所定の角度以上になると反時計回りに付勢される。
【００２４】
図２に示すミラーダウン位置では、サブミラー３を所定の角度で停止させる必要がある。このため、サブミラー保持枠４を所定の角度で停止させる受けピン６が設けられている。受けピン６は、メインミラー保持枠２の上部に配置された円筒形の部材である。受けピン６は、上述のようにメインミラー保持枠２側から側面保持部材２０に挿入されて、側面保持部材２０の外面側においてカシメ結合されている。
【００２５】
一方、サブミラー保持枠４は、該サブミラー保持枠４が軸支される軸に対して垂直に延びるサブミラー側枠部４Ａを有する。このサブミラー側枠部４Ａは、略Ｌ字状部材で、角部分がサブ支軸９に軸支されている。そして、サブミラー側枠部４Ａは、その軸支されている部分からサブミラーを保持する側に延びる第１部分４Ａａと、該第１部分に対して所定角度で延びる第２部分４Ａｂとを有する。この、第２部分４Ａｂの側面が、受けピン６の外周面と当接する当接部４ａとなる。当接部４ａが受けピン６の外周面に当接することにより、ミラーダウン位置においてサブミラー保持枠４が所定の角度で停止する。
【００２６】
図４に示すように、メインミラー保持枠２の一方の突出部２５の側面には穴２ａが設けられている。その穴２ａに対して、側面保持部材２０に結合された受けピン６が回転可能に挿入されている。受けピン６は偏芯ピンであり、穴２ａ側の先端には六角レンチが挿入可能な六角穴６ａが受けピン６の中心軸から偏心して形成されている。受けピン６は、このようにメインミラー保持枠２の上部に設けられた穴２ａに挿入されているので、メインミラー保持枠２の上側に位置する。
【００２７】
次に、本実施形態におけるミラー保持機構３０の動作を説明する。ミラーアップ位置からミラーダウン位置に移行するとき、メインミラー保持枠２及びサブミラー保持枠４は、それぞれ反時計回りに回動する。このとき、サブミラー保持枠４は、サブ支軸９を中心にしてメインミラー保持枠２に対して回動する。
サブミラー保持枠４は、回動すると、まず、サブミラー側枠部４Ａの第２部分４Ａｂの一面である当接部４ａが受けピン６に衝突する。このとき、受けピン６はメインミラー保持枠２と一体的に移動するので、受けピン６には、メインミラー保持枠２の反力は受けない。すなわち受けピン６が受ける反力は、サブミラー３およびサブミラー保持枠４の運動エネルギーのみとなる。
【００２８】
一方、メインミラー保持枠２は、メイン支軸８を中心にして反時計回りに回動する。そして、サブミラー保持枠４が回動を停止した後、ストッパピン７に当接して停止する。メインミラー保持枠２が回動する間、サブミラー保持枠４の当接部４ａは、受けピン６に当接したままとなり、当接部４ａと受けピン６との相対的な摺動はほとんど生じない。また、図５は、ミラーアップ状態の図である。ミラーアップ状態において、メインミラー保持枠２とサブミラー保持枠４とは、ＺＸ平面と略平行に配置される。本実施形態において受けピン６は、メインミラー保持枠２の上部に設けられている。従って、ミラーアップ状態において、ミラー保持枠２の下、すなわち被写体光が通過する領域内に受けピンは突出していない。
【００２９】
以上、本実施形態によると、以下の効果を奏する。
（１）サブミラーの受けピンがミラー保持機構内の撮像素子の中央付近に存在すると、撮影レンズからの迷光が、受けピン端面に反射し撮像素子に進入し、撮影画像にゴーストが発生しやすい。しかし、本実施形態で受けピン６は、メインミラー保持枠２の上部に設けられている。従って、ミラーアップ状態において、従来のように撮影時のミラー保持機構３０部内に突起物として残らず、撮影レンズからの迷光が受けピン６の表面に反射して撮像素子７２に進入することがない。ゆえに、撮影時におけるゴースト発生を抑えることができる。また、受けピン６等には、従来、艶消し塗装などが行われているが、本実施形態によると、これらの処理を行う必要もない。
さらに、受けピン６は、側面保持部材２０によって覆われ、外部から見えない構成になっている。このため、装飾的観点からの塗装も必要がなく、摩擦による削れの少ない金属ピンのまま使用することができ、耐久によるサブミラーの角度変化対策やコスト的にも有利である。
【００３０】
（２）通常、ミラーダウン時にメインミラーのストッパピン７とメインミラー保持枠２とが接触する前にサブミラーの受けピン６とサブミラー保持枠２とが接触する。ここで、カメラボディにサブミラーの受けピンが設けられていると、サブミラーと受けピンとの接触時に、メインミラー及びサブミラーの運動エネルギーが全て受けピンに加わる。ゆえに、受けピンに対する衝撃が大きく、受けピンの磨耗が大きい。
これに対し本実施形態のミラー保持機構３０では、メインミラー保持枠２にサブミラー３の受けピン６が設けられている。したがって、サブミラー保持枠４が受けピン６に衝突する際、受けピン６には、メインミラー保持枠２の衝撃は加わらず、サブミラー３およびサブミラー保持枠４が回動するときの運動エネルギーのみが作用する。このため、ミラーダウン時におけるサブミラー保持枠４のバウンド収束時間を短くすることができる。したがって、例えば、連写コマ速をアップすることが可能となる。
【００３１】
（３）サブミラーの受けピンが、カメラボディに取り付けられている場合、サブミラー保持枠と受けピンはミラーダウン動作時に接触しながら移動する。このために、摩擦力により表面の塗装が削れ、撮影回数が多くなるとサブミラーの角度が変化し、オートフォーカス性能に影響が出る。
しかし、本実施形態によると、メインミラー保持枠２が回動する間、サブミラー保持枠４の当接部４ａと受けピン６との相対的な摺動はほとんど生じない。このため、サブミラー保持枠４の当接部４ａと受けピン６との間の摩擦力が小さくなり、これら接触面の削れが少なくなる。したがって、長期間使用してもサブミラー３の角度変化を少なくすることができ、ＡＦ性能への影響を軽減することができる。
【００３２】
（４）従来、サブミラーの角度を調整する際は、ミラーアップ状態にしてサブミラー偏芯ピンを調整していた為に、作業性が悪かった。しかし、本実施形態の構成によれば、メインミラー保持枠２がダウンした状態でも、穴２ａから六角レンチを差し込んで六角穴６ａに挿入し、六角レンチを回転させることで受けピン６を偏心させることができる。これにより、カメラ１００がミラーダウン状態であっても、サブミラー保持枠４の当接部４ａと受けピン６とが当接する位置を調整することができる。したがって、サブミラー３のミラー角度を適正角度に調整することにより、部品や組み立て時のばらつきを修正することができる。さらには、従来サブミラーの角度調整をミラーアップ状態で行う必要があったが、ミラーダウン状態で角度調整可能となったので、調整時間短縮することができる。
【００３３】
（５）本実施形態では、側面保持部材２０における、少なくともＹマイナス側の部分には、反射防止用の塗装がなされている。従って、ミラーアップした状態で被写体光がミラー保持機構３０の下部空間（Ｙマイナス側の空間）を通過した際に、側面保持部材２０に迷光が反射して撮像素子７２に入射する可能性が少ない。
【００３４】
（６）本実施形態のミラー保持機構３０は、側面保持部材２０に受けピン６とミラー駆動ピン２１がカシメ結合され、この側面保持部材２０をメインミラー保持枠２に取り付ける構造である。従って、メインミラー保持枠２と受けピン６とミラー駆動ピン２１とを一体成形する場合と比べて、メインミラー保持枠２の製造が容易である。また、ミラー保持機構３０と受けピン６とミラー駆動ピン２１とを別部材で製造することもでき、材料選択の幅が広がる。
（変形形態）
【００３５】
以上、説明した実施形態に限定されることなく、以下に示すような種々の変形や変更が可能であり、それらも本発明の範囲内である。
（１）受けピン６の断面は円形に限らず、半円形、楕円形等の他の形状であってもよい。また、サブミラー保持枠４におけるピン６と当接する部分の形状も第２部分４Ａｂの形状に限らず、他の形状であってもよい。
（２）受けピン６の穴６ａは六角レンチに対応した形状に限らず、プラス／マイナスのドライバ用溝でもよいし、専用の工具のみが差し込み可能な形状であってもよい。また、外径が異なる複数種の受けピン６を交換可能な構造としてもよい。この場合は、適切な外径の受けピン６を取り付けることにより、サブミラー３のミラー角度を適正角度に調整することができる。
（３）本実施形態では、デジタル一眼レフカメラに適用した例について示したが、本発明はこれに限らず、例えばフィルム式一眼レフカメラにも適用することができる。
【００３６】
なお、実施形態及び変形形態は、適宜組み合わせて用いることもできるが、詳細な説明は省略する。また、本発明は以上説明した実施形態によって限定されることはない。
【符号の説明】
【００３７】
１：メインミラー、２：メインミラー保持枠、２ａ：穴、３：サブミラー、４：サブミラー保持枠、４ａ：当接部、サブミラー側枠部４Ａ、第１部分４Ａａ、第２部分４Ａｂ、６ａ：受けピン，７ａ：ストッパピン、８：メイン支軸、９：サブ支軸、２０：側面保持部材、２１：駆動ピン、１００：カメラ
【図１】
0005636952.tif 000002
【図２】
0005636952.tif 000003
【図３】
0005636952.tif 000004
【図４】
0005636952.tif 000005
【図５】
0005636952.tif 000006